(57)【要約】本発明は洗剤組成物を含有するアルカリ可溶性物質から成る洗濯物袋に関する。前記洗濯物袋は自動洗濯機において使用するのに好適である。【特許請求の範囲】
【請求項１】
アルカリ可溶性物質から成る洗濯物袋であって、洗剤組成物を含有する前記洗濯物袋。
【請求項２】
前記アルカリ可溶性物質が、不織布材、フィルム、フィルム及び不織布材の積層体、それらの組み合わせである、請求項１に記載の洗濯物袋。
【請求項３】
前記アルカリ可溶性物質が、ポリビニルアルコールポリマー又はポリビニルアルコールのコポリマーを含む、請求項１又は２に記載の洗濯物袋。
【請求項４】
前記アルカリ可溶性物質が、４０℃にて実質的にアルカリ可溶性であり、かつ２０℃にて実質的に水不溶性である、請求項１〜３のいずれか一項に記載の洗濯物袋。
【請求項５】
前記アルカリ可溶性物質が、可塑剤、好ましくは前記アルカリ可溶性物質の１０重量％の量の可塑剤を含む、請求項１〜４のいずれか一項に記載の洗濯物袋。
【請求項６】
前記洗剤組成物、又はその一部が、アルカリ可溶性物質の小袋の中に含有され、前記小袋が前記洗濯物袋の中に含有される、請求項１〜５のいずれか一項に記載の洗濯物袋。
【請求項７】
前記洗剤組成物又はその一部が、少なくとも５重量％の界面活性剤及び／又は少なくとも５重量％のビルダー剤を含み、及び任意で漂白剤及び／又は酵素を含む、請求項１〜６のいずれか一項に記載の洗濯物袋。
【請求項８】
前記洗剤組成物が、少なくとも２５、好ましくは少なくとも５０の平均アルコキシル化度を有するアルコキシル化化合物を含む、請求項１〜７のいずれか一項に記載の洗濯物袋。
【請求項９】
前記洗剤組成物が、起泡性システムを含み、前記起泡性システムが、水に接触したとき一緒に反応して気体を生じることができる酸供給源及びアルカリ供給源を含む、請求項１〜８のいずれか一項に記載の洗濯物袋。
【請求項１０】
前記洗剤組成物が、臭気抑制剤、好ましくは少なくとも１０重量％の臭気抑制剤を含む、請求項１〜９のいずれか一項に記載の洗濯物袋。
【請求項１１】
前記洗剤組成物が、少なくとも２つの部分にて前記洗濯物袋に含有され、その際、前記洗剤組成物の第１の部分は前記洗剤組成物の１又はそれ以上のその他の部分とは別に前記洗濯物袋に含有され、その際、前記洗剤組成物の前記第１の部分は、少なくとも６０％（前記第１の部分の重量の）の臭気抑制剤を含み、前記洗剤組成物の前記第１の部分は好ましくは、前記洗剤組成物に存在する少なくとも総量臭気抑制剤の８０％（重量で）を含む、請求項１０に記載の洗濯物袋。
【請求項１２】
洗濯工程における、請求項１〜１１のいずれか一項に記載の洗濯物袋の使用。
【請求項１３】
前記方法が、洗剤組成物又はその一部をアルカリ可溶性物質の小袋に加える工程、及び前記小袋をアルカリ可溶性物質から成る洗濯物袋に加える工程を含む、請求項６に記載の洗濯物袋の調製方法。
【発明の詳細な説明】
【０００１】
（発明の分野）
本発明は、袋、さらに詳しくは、汚れた洗濯物を清浄するのに使用するための洗濯物袋に関する。特に、本発明は洗剤組成物を含有するアルカリ可溶性物質から成る洗濯物袋に関する。
【０００２】
（発明の背景）
現在の洗濯洗浄製品は、多種多様な形態から成り、用いられている。これらの形態には伝統的に洗剤顆粒及び洗剤液が挙げられる。これらの製品は通常、汚れた洗濯物を１回数を超える回数で洗濯物に選り分け、分割し、洗濯物を洗濯機に運び、該洗浄洗濯物を前記洗濯機に入れることを包含する洗濯洗浄の慣行で使用される。次いで前記洗濯機に洗剤を加える必要がある。この慣行は時間がかかり、消費者をうんざりさせうる。さらに、膨大な機会において、この洗濯洗浄の慣行の間、消費者は汚れた洗濯物及び洗剤に接近することになる。
【０００３】
過去において、これら伝統的な製品形態を改善する試みがなされ、これらの試みは、洗剤錠剤の開発に至った。しかしながら、この時間がかかる洗濯洗浄の慣行を改善し、洗濯工程の間、消費者と汚れた洗濯物及び洗剤との間に生じる接触の量をできるだけ抑えるためのニーズが依然としてある。
【０００４】
本発明は、現在の洗浄方法の効率を改善し、典型的な洗濯洗浄方法の時間を減らし、消費者と汚れた洗濯物及び洗剤との間の接触の量をできるだけ抑える洗濯物袋を提供する。本発明者らは、洗剤組成物を含有するアルカリ可溶性物質から成る洗濯物袋を用いることによって上述の問題が克服されることを見い出した。
【０００５】
（発明の概要）
本発明の第１の実施態様では、アルカリ可溶性物質から成る洗濯物袋が提供され、前記洗濯物袋は洗剤組成物を含有する。
【０００６】
本発明の第２の実施態様では、洗濯工程における、洗剤組成物を含有する、アルカリ可溶性物質から成る洗濯物袋の使用が提供される。
【０００７】
本発明の第３の実施態様では、洗剤組成物を含有する、アルカリ可溶性物質から成る洗濯物袋の調製方法が提供され、それは、アルカリ可溶性物質の小袋に洗剤組成物、又はその一部を加える工程、及びアルカリ可溶性物質から成る洗濯物袋に前記小袋を加える工程を含む。
【０００８】
（詳細な説明）
洗濯物袋
本明細書で「袋」と呼ぶ洗濯物袋はアルカリ可溶性物質から成る。用語、「アルカリ可溶性」は、ｐＨ１２のアルカリ性溶液に実質的に可溶性であることを意味し、通常、これは次の方法を用いて決定される；
より小さな小片に刻まずに１つの全体的な片であり、折り畳まず、又は砕かない、０．１ｇの試験物質を、４０℃の温度にて２００ｍｌのｐＨ１２の溶液に加える。前記溶液は、専ら水酸化ナトリウムを脱イオン水に加えることによって作製される。前記溶液は、故意に加えられたその他の混入物を含有しない。１０秒後、例えば、５０ｒｐｍで回転するＩＫＡレイバーテクニック（ｌａｂｏｒｔｅｃｈｎｉｋ）磁性攪拌器を用いて溶液を穏かに撹拌し始める。試験物質が溶液に接触している合計時間が正確に１分になるように、さらに溶液を５０秒間撹拌する。撹拌工程の間、溶液を４０℃に保つ。溶液を２５０マイクロメートルのふるいに通して、溶解しなかった内容物を回収する。４０℃のオーブンにて一定の重量になるまでこの不溶物を乾燥する。この乾燥した不溶物を計量し、この不溶物の重量％を算出する。この方法を２回繰り返し、平均結果を利用する。
【０００９】
上記の方法によって測定されるとき、２０重量％未満の、好ましくは１５重量％未満の、さらに好ましくは１０重量％未満の、一層さらに好ましくは５重量％未満の、一層さらに好ましくは２重量％未満の、最も好ましくは０．５重量％未満の不溶物を有する物質が、本発明の目的での、用語「アルカリ可溶性」の意味の範囲内である。前記アルカリ可溶性物質は下文にさらに詳細に記載される。
【００１０】
本明細書の袋は洗剤組成物を含有する。前記洗剤組成物は下文にさらに詳細に記載される。
【００１１】
本明細書では袋は洗濯物袋である。洗濯物袋は、洗濯用の少なくとも１つの品目を保持するのに好適なサイズである。本明細書における袋のサイズはその適用に依存する。例えば、本明細書における袋の内部容積は、例えば、家庭の家事による使用、さらにはホテル又はレストランによる使用のために、大型の洗浄洗濯物、例えば、２０ｋｇまでの洗浄洗濯物を保持することができる例えば、２ｍ３又は３ｍ３〜６ｍ３又は７ｍ３の大型サイズであることができる。本明細書における袋の内部容積はまた、例えば、０．０１ｋｇ又は０．１ｋｇ〜５ｋｇ又は１０ｋｇの洗浄洗濯物、例えば体育館着又はフットボール用衣類を保持する個人的用途のために、小型〜中型の洗濯物品から成る洗浄洗濯物を保持するのに好適な、例えば、０．０１ｍ３又は０．１ｍ３〜２ｍ３又は３ｍ３の小型サイズであることもできる。本明細書における袋の内部容積は好ましくは０．０１ｍ３〜６ｍ３である。
【００１２】
好ましくは、本明細書における袋は全体としてアルカリ可溶性である。用語「アルカリ可溶性」は上文で定義されている。
【００１３】
本明細書における袋はまた、消費者が、何が前記袋に含有されているのかを見ることができるように、透明な覗きパッチを含んでもよく、又は袋が全体として透明であってもよい。例えば、袋は、透明であるアルカリ可溶性物質、又はその一部から成ってもよい。前記アルカリ可溶性物質又はその一部は透明であるフィルムの形態であってもよい。
【００１４】
本明細書における袋はまた異なった色彩であってもよいし、又は表面上に異なったマーキング若しくはパターンを含有してもよい。前記袋に含有される洗剤組成物の種類又は洗剤組成物の量を消費者に示すのにこれを用いることができる。
【００１５】
前記パターンは好ましくはアルカリ可溶性染料から作製する。前記染料は布地に対する染色性を示さないことが極めて好ましい。
【００１６】
本明細書における袋はまた、袋が一杯であること又は前記袋に最適な量、体積又は重量の洗浄洗濯物が存在することを消費者に示す手段を含有しても良い。これは、前記袋が洗浄洗濯物で満たされるべき最適なレベルを示す袋上のマーキングによることができる。前記マーキングは好ましくはアルカリ可溶性である。
【００１７】
本明細書における袋は好ましくは少なくとも１つの開口部を有する。袋の少なくとも１つの開口部が前記袋の内部容積空間に通じていることが極めて好ましい。
【００１８】
前記開口部は、例えば、閉鎖手段によって閉鎖することができる。前記閉鎖手段は下文でさらに詳細に記載される。
【００１９】
本明細書における袋の内部容積空間は、１より多い区画に分けることができる。
【００２０】
これらの区画は好ましくはバリア手段によって分離される。好ましくは前記バリア手段はアルカリ可溶性であり、さらに好ましくは前記バリア手段はアルカリ可溶性物質から成り、このアルカリ可溶性物質は本明細書の袋を作るアルカリ可溶性物質であってもよいし、又は異なった片のアルカリ可溶性物質であってもよい。これによって消費者は異なった区画を用い、消費者の好み、例えば、布地の種類、布地の色、又は汚れ／シミの種類若しくはひどさによって洗浄洗濯物を選り分けることができる。
【００２１】
本明細書における袋の内部容積空間は、外側から内部容積空間を分離するように閉鎖することができる。例えば、タック、紐、フラップ、折り畳み、ジッパー、ボタン、引き糸又はそれらの組み合わせのような閉鎖手段による。好ましくは前記閉鎖手段はアルカリ可溶性であり、好ましくは前記閉鎖手段はアルカリ可溶性物質から成り、このアルカリ可溶性物質は本明細書の袋を作るアルカリ可溶性物質であってもよいし、又は異なった片のアルカリ可溶性物質であってもよい。前記閉鎖手段は好ましくは永続性ではなく、本明細書の袋は何回も閉めて、再び開けることができる。別の方法としては、本明細書の袋を１回しか閉めることができないように、前記閉鎖手段は永続的でもあり得る。
【００２２】
袋を閉めることによって、その中に含有される洗濯品目と消費者との間のそれ以上の接触が妨げられ、軽減され又はできる限り抑えられる。その上、本明細書の袋は洗剤組成物を含有しているので、消費者がその中に洗剤組成物を加えるために前記袋を再び開ける必要がない。洗剤組成物は本明細書の袋の中に含有されるので、洗浄方法の間に追加の洗剤組成物が洗浄洗濯物に加えられる必要もない。本明細書の袋は、特に、例えば自動洗濯機を用いる従来の洗浄慣行の間に布地を洗浄する好都合な手段を提供する。
【００２３】
好ましくは、本明細書の袋は、本明細書の袋の洗剤組成物又はその一部を含有する又は構成する分配単位を含む。好ましくは、洗剤組成物又はその一部は、洗剤組成物又はその一部が汚れた洗濯物を含有するように意図される袋の内部容積空間の残りから分離されるようにシールされた分配単位に含有される。
【００２４】
「分離される」によって好ましくは、接触するのを又は進入するのを妨げられることを意味する。
【００２５】
前記分配単位は、好ましくはアルカリ可溶性物質から成り、このアルカリ可溶性物質は本明細書の袋を作っているアルカリ可溶性物質であってもよいし、又は異なった片のアルカリ可溶性物質であってもよい。好ましくは、分配単位は全体としてアルカリ可溶性である。
【００２６】
分配単位は前記袋と一体化した部材であってもよく、前記分配単位が本明細書の袋を作る材料からなるのであれば、これは特に好ましい。もう１つの方法として、分配単位は、本明細書の袋と一体化した部材ではなく、前記分配単位は前記袋と一体化した部材でなくても、前記分配単位は依然として、前記袋を作るのと同じ種類のアルカリ可溶性物質である。
【００２７】
本発明者らは、前記洗剤組成物又はその一部が前記袋と一体化した部材ではない分配単位に含有される場合、前記袋の柔軟性がさらに改善されることを見い出した。前記分配単位が袋と一体化した部材でなければ、消費者は、多数の分配単位を袋から外す、取り変える、交換する又は袋に加えることができる。これによって消費者は、自らの好みに基づいて、例えば、好き嫌い、及び前記袋に入れる汚れた洗濯物の量又はひどさに依存して前記洗濯物袋を改変することができる。
【００２８】
本明細書の袋を閉じた場合、又は、本明細書の袋に向けた若しくは対するその他の作用に応じて、前記分配単位は破裂して又ははじけて前記洗剤組成物又はその一部が前記分配単位から放出されるように、前記分配単位を設計することができる。また、該袋の洗剤組成物又はその一部を含有する又は含む１より多くの分配単位が前記袋に含有されることが好ましい。本明細書の袋に含有される分配単位の好ましい数は、洗浄されるべき洗浄洗濯物の大きさ及び前記洗浄洗濯物の汚れのひどさによって決定される。通常、１〜５の分配単位が本明細書の袋に含有される。
【００２９】
異なった分配単位は、異なった構成要素成分、例えば、本明細書の袋の洗剤組成物の非相容性洗剤成分を含有してもよい。従って、本明細書の袋の中に１より多くの分配単位を用いることによって、互いに非相容性の成分を分離する手段が提供される。
【００３０】
好ましい分配単位は、セル、小袋、ポケット、折り畳み、小包、シート又はそれらの組み合わせである。好ましくは、分配単位は、アルカリ可溶性物質の小袋であり、本明細書の袋の洗剤組成物はアルカリ可溶性物質の前記小袋に含有される。アルカリ可溶性物質の小袋は前記袋に含有される。
【００３１】
本明細書における袋は；前記袋又はその一部、例えば、複数の区画の袋の単一区画、１又はそれ以上の分配単位、又はその組み合わせが、特定の条件下、例えば、温度、ｐＨ、イオン強度又は機械的撹拌にて、開く、破裂する、溶解する、分解する、又はそれらを組み合わせるように設計することができる。これによって、洗浄方法を最適化するのに用いることができる本明細書の袋から洗剤成分及び／又は洗濯用物品を順次放出する手段が提供される。
【００３２】
例えば、分配単位に含有される布地柔軟化剤を有すると、前記分配単位は洗濯サイクルの洗浄段階ではそのままであり、洗濯サイクルのすすぎ段階の間にのみ、分解する、溶解する又は破裂する。これは、特別の条件、例えば、自動洗濯機における回転段階の機械的撹拌、又は洗濯サイクルのすすぎ段階の間、自動洗濯機のドラムの中に水が流入することによるｐＨ若しくはイオン強度の低下に反応することができる。従って、このように、洗濯サイクルのすすぎ段階の間に前記分配装置から前記柔軟化剤が放出される。
【００３３】
前記袋は、通常、フィルム、不織布材の形態、若しくはフィルム及び不織布材の積層体に洗濯物袋として使用するのに好適な構造にアルカリ可溶性物質を変換するいかなる方法によっても製造することができる。当概技術分野で既知の方法、例えば、ナイフで切断することによって該物質を形成することができる。
【００３４】
アルカリ可溶性物質の１又はそれ以上の片から袋を製造することができる。
【００３５】
好ましくは、アルカリ可溶性物質の片を、例えば熱シールによって、圧シールによって、又は接着手段によって一緒にシールすることによって袋様構造に該物質を形成する。本明細書に用いるのに好ましい接着剤は、アルカリ可溶性の接着剤であり、ポリビニルアルコールを含む接着剤がさらに好ましい。通常、前記袋をシールする方法は結果として縫い目を形成する。前記縫い目は、袋の裏面、袋の側面、袋の前面、袋の底、袋の上面、又はそれらのいかなる組み合わせにも存在することができる。
【００３６】
洗剤組成物又はその一部は、袋のアルカリ素材に組み入れることによって本明細書の袋に包含されることができる。洗剤組成物又はその一部はまた、本明細書の袋のシート又はその他の成分、好ましくは袋のアルカリ可溶性素材に噴霧することができる。好ましくは、前記洗剤組成物が、袋の中に入れられる汚れた洗濯物を含有することが意図される内部容積空間と別々になるように、袋中の本明細書における洗剤組成物を本明細書の袋に含有する。前記洗剤組成物が少なくとも１つのバリア手段によって、その中に置かれる汚れた洗濯物を含有することが意図される内部容積空間と別々になるように前記洗剤組成物を袋の中に封じ込めることによってこれを達成してもよい。好ましくは前記バリア手段はアルカリ可溶性物質から成り、このアルカリ可溶性物質は、それから本明細書の袋を作るアルカリ可溶性物質であってもよいし、又はそれは、本明細書の袋を作るアルカリ物質とは異なったアルカリ物質の片であってもよい。
【００３７】
好ましくは、洗剤組成物は、アルカリ可溶性物質の小袋に加えられ、前記アルカリ可溶性物質の小袋はアルカリ可溶性物質から成る洗濯物袋に加えられて本明細書に用いるのための袋を得る。本発明に基づいた袋を調製する好ましい方法は、次の工程；アルカリ可溶性物質の小袋に洗剤組成物又はその一部を加えること；前記小袋をアルカリ可溶性物質から成る洗濯物袋に加えることを含む。
【００３８】
アルカリ可溶性物質
アルカリ可溶性物質はアルカリ性の溶液に実質的に可溶である。用語「アルカリ可溶性」は上文で定義されている。
【００３９】
湿っている汚れた洗濯物を前記アルカリ可溶性物質から成る洗濯物袋に入れる場合、前記袋は溶解を開始し、その構造的統一性を失い始め、前記濡れて汚れた洗濯物を適切に保持する又運ぶことはできない。２０℃にて実質的に水不溶であるアルカリ可溶性物質を選択することにより、従って濡れて汚れた洗濯物が前記袋に入れられた場合溶解しないので、この問題は解決される。従って、アルカリ可溶性物質は、２０℃にて好ましくは実質的に水不溶性である。用語「水不溶」は、ｐＨ６で２０℃の温度の脱イオン水に不溶であることを意味し、通常、これは次の方法を用いて決定される；
さらに小さな小片に刻まずに１つの全体的な片であり、折り畳まず、又は砕かない、０．１ｇの試験物質を、２０℃の温度にて２００ｍｌのｐＨ６の脱イオン水に加える。前記脱イオン水は、故意に加えられたその他の混入物を含有しない。１０秒後、例えば、５０ｒｐｍで回転するＩＫＡレイバーテクニック（ｌａｂｏｒｔｅｃｈｎｉｋ）磁性攪拌器を用いて脱イオン水を穏かに撹拌し始める。試験物質が溶液に接触している合計時間が正確に１分になるように、さらに脱イオン水を５０秒間撹拌する。この撹拌工程の間、脱イオン水を２０℃に保つ。脱イオン水を２５０マイクロメートルのふるいに通して、溶解しなかった内容物を回収する。４０℃のオーブンにて一定の重量になるまでこの不溶物を乾燥する。この乾燥した不溶物を計量し、この不溶物含有量の重量％を算出する。この方法を２回繰り返し、平均結果を利用する。
【００４０】
上記方法で測定したとき、少なくとも５０重量％の、好ましくは少なくとも６０重量％の、さらに好ましくは少なくとも７０重量％の、一層さらに好ましくは少なくとも８０重量％の、一層さらに好ましくは少なくとも９０重量％の、最も好ましくは少なくとも９９．５重量％の溶解しない内容物を有する物質が、本発明の目的での、用語「水不溶」の範囲内である。
【００４１】
本発明者らは、洗剤組成物のようなアルカリ供給源が、長い間、例えば少なくとも１日間、又は３日間、又は１週間、又は１ヵ月間、又はさらに数ヵ月間にわたって、アルカリ可溶性物質に接触すると、前記アルカリ可溶性物質と前記アルカリ供給源との相互作用のために前記アルカリ可溶性物質はアルカリ不溶性になる可能性があることを見い出した。アルカリ可溶性物質は、アルカリ供給源との長期の接触の後、アルカリ溶液に可溶性のままであることが好ましい。
【００４２】
アルカリ可溶性物質は、好ましくは、不織布材、フィルム、フィルム及び不織布の積層体、又はそれらの組み合わせである。好ましくは、アルカリ可溶性物質は不織布材である。
【００４３】
アルカリ可溶性物質は好ましくは、ポリビニルアルコールポリマー、ポリビニルアルコールのコポリマー、スチレンとアクリル酸のコポリマー、ヒドロキシプロピルメチルセルロース（ＨＰＭＣ）、又はそれらの組み合わせを含む。好ましくは、アルカリ可溶性物質はポリビニルアルコールポリマー、ポリビニルアルコールのコポリマー、又はそれらの組み合わせを含む。
【００４４】
ポリビニルアルコールポリマー、ポリビニルアルコールのコポリマー、又はそれらの組み合わせを含む本明細書に用いるのに好適なアルカリ可溶性物質は、好ましくは７０％からの、又は７５％からの、又は８０％からの、又は８５％からの、又は９０％からの、又は９５％からの、及び１００％までの、又は９９％までの、又は９８％までの、又は９５％までの、又は９０％までの、又は８５％までの、又は８０％までのいずれかの範囲の平均加水分解度を有する。好ましくは、アルカリ可溶性物質は少なくとも８０％、さらに好ましくは８０％〜９０％、又は好ましくは９５％〜１００％の平均加水分解度を有する。
【００４５】
アルカリ可溶性物質は好ましくは可塑剤を含む。前記可塑剤は好ましくは、グリコール、グリセリン、アルコールアミン、アルコキシル化リン酸塩、ポリオール、及びそれらの組み合わせから成る群から選択されるメンバーを含む。さらに好ましくは前記可塑剤は、モノエチレングリコール、ジエチレングリコール、トリエチレングリコール、１５５〜４００の重量平均分子量を有するポリエチレングリコール、グリセリン、トリメチロールプロパン、ネオペンチルグリコール、トリエタノールアミン、エトキシ化ホスフェート、及びそれらの組み合わせから成る群から選択されるメンバーを含む。
【００４６】
好ましくは、前記可塑剤は１より多くの種類の可塑剤を含み、前記可塑剤は少なくとも２種類の可塑剤を含む。好ましくは、第１の種類の可塑剤と第２の種類の可塑剤の重量比は、１：１〜３：１、さらに好ましくは１．５：１〜２．５：１である。
【００４７】
アルカリ可溶性物質は好ましくは（前記アルカリ可溶性物質の重量で）、１％からの、又は５％からの、又は１０％からの、又は２０％からの、又は２５％からの、及び好ましくは６０％までの、又は５０％までの、又は４０％までの可塑剤を含む。
【００４８】
アルカリ可溶性物質は、前記本明細書における袋によって含有される洗剤組成物又はその一部を含んでもよい。洗剤組成物又はその一部は袋のアルカリ可溶性物質に組み入れられてもよいし、袋のアルカリ可溶性物質に噴霧されてもよい。
【００４９】
これは洗剤組成物を前記袋に含有する好都合な方法である。
【００５０】
洗剤組成物又はその一部が前記アルカリ可溶性物質に噴霧されるのであれば、好ましくは洗剤組成物は前記アルカリ可溶性物質によって吸収される。さらに、好ましくは、前記アルカリ可溶性物質に噴霧される洗剤組成物又はその一部は本明細書の袋の内部表面に存在する。これによって、前記洗剤組成物又はその一部と消費者との接触の量をできるだけ抑え、軽減し、又は接触を防ぐ。
【００５１】
前記洗剤組成物又はその一部が前記アルカリ可溶性物質によって含まれているのであれば、そのときは、前記アルカリ可溶性物質からの前記洗剤組成物又はその一部の放出は、前記アルカリ可溶性物質が洗濯サイクルの間に溶解する速度によって決定される。
【００５２】
前記アルカリ可溶性物質の異なった領域が洗濯サイクルの異なった段階で溶解するように、前記アルカリ可溶性物質の前記異なった領域は溶解速度のような異なった溶解特性を有してもよい。アルカリ可溶性物質のこれらの異なった領域は前記洗剤組成物の異なった部分を含んでもよく、洗剤組成物のこれら異なった部分は、洗濯サイクルの異なった段階にて、アルカリ可溶性物質のこれら領域から放出される。従って、このように、洗濯サイクルの間に洗剤成分を順次放出する手段が提供される。
【００５３】
前記洗剤組成物の非相容性の部分は、前記アルカリ可溶性物質の異なった領域によって含まれることができ、従って互いに分離されることができるため好ましくもある。
【００５４】
アルカリ可溶性物質は、界面活性剤、デンプン、変性デンプン、又はそれらの組み合わせを含んでもよい。本明細書の物質の一部だけが界面活性剤、デンプン、変性デンプン、又はそれらの組み合わせを含むことが好ましくもある。
【００５５】
本明細書に用いるのに好ましいアルカリ可溶性物質は、クリスクラフト（Ｃｈｒｉｓ Ｃｒａｆｔ）から供給されるＬＸＰ４０８８  ３８μという商品名のもとで知られている物質に類似する特性を有する。
【００５６】
ポリビニルアルコールを含み、フィルムの形態である好ましいアルカリ可溶性物質は、クリスクラフト（Ｃｈｒｉｓ Ｃｒａｆｔ）から供給されるＭ８６３０  ３８μとして、クリスクラフト（Ｃｈｒｉｓ Ｃｒａｆｔ）から供給されるＬＸＰ４０８７  ３８μとして、クリスクラフト（Ｃｈｒｉｓ Ｃｒａｆｔ）から供給されるＬＸＰ４０８８  ３８μとして、クリスクラフト（Ｃｈｒｉｓ Ｃｒａｆｔ）から供給されるＬＸＰ４１０７  ３８μとして、クラレ（Ｋｕｒａｒａｙ）から供給されるＶＦ−ＨＰフィルムとして、及びベルランド（Ｂｅｌｌａｎｄ）により供給されるフィルム１０１としての商品名で知られるフィルムである。
【００５７】
ポリビニルアルコールを含み、不織布材の形態である好ましいアルカリ可溶性物質は、ＢＦＦにより供給されているＨＥＮ−３０ｇｓｍ、キャストフィルムテクノロジー（Ｃａｓｔ Ｆｉｌｍ Ｔｅｃｈｎｏｌｏｇｙ）により供給されるＫ２  ４０ｇｓｍ、及びクラレ（Ｋｕｒａｒａｙ）により供給されるＷＮ−２３５としての商品名のもとで知られている物質である。
【００５８】
ポリビニルアルコールを含み、フィルム及び不織布材の積層体の形態である好ましいアルカリ可溶性物質は、クラレ（Ｋｕｒａｒａｙ）によって供給されるＢＴ２１０２、及びクラレによって供給されるＷＮ−２積層体としての商品名のもとで知られる積層体物質である。
【００５９】
洗剤組成物
本明細書における袋は洗剤組成物を含有する。本明細書に用いるための洗剤組成物又はその一部は、固体（例えば、顆粒状組成物、例えば、錠剤又は粉末）、液体、ペースト、ゲル、又はそれらの組み合わせの形態であってもよい。
【００６０】
洗剤組成物又はその一部は、本明細書の袋のアルカリ可溶性物質によって含まれてもよい。洗剤組成物又はその一部は、本明細書の袋のアルカリ可溶性物質の上に噴霧されてもよく、又はそれによって吸収されてもよい。洗剤組成物又はその一部はアルカリ可溶性物質の小袋に含有されてもよい。洗剤組成物又はその一部は、洗剤シートの形態にて本明細書の前記袋によって含有されてもよい。
【００６１】
袋の洗剤組成物は好ましくは少なくとも２つの部分にて前記袋に含有される。
【００６２】
洗剤組成物の１又はそれ以上の部分が洗剤組成物の１又はそれ以上のその他の部分とは別々に袋に含有される。
【００６３】
例えば、洗剤組成物の異なった部分は異なった分配単位に含有されてもよい。
【００６４】
洗剤組成物の異なった部分は上文で記載したように、袋のアルカリ可溶性物質の異なった領域によって含まれてもよい。これによって非相容性の洗剤成分が本明細書の袋の中で互いに分離されることができる。漂白剤が存在するならば、漂白剤は袋の中で酵素とは別々に含有されることが好ましくもある。臭気抑制剤が存在するならば、臭気抑制剤は袋で、アミン含有化合物のような匂い発散洗剤成分、界面活性剤、特に陽イオン系界面活性剤、さらに特にはアミン含有陽イオン系界面活性剤、又はそれらの組み合わせとは別々に含有されることも好ましくもある。これによって、上文で記載したように、洗剤組成物の異なった部分を洗濯サイクルの間、順次洗濯液に放出することもできる。
【００６５】
前記洗剤組成物は好ましくは、本明細書の袋に入れられた洗浄洗濯物を洗濯するのに十分な量にて本明細書の袋に含有される。あるいは、満杯の洗浄洗濯物を洗濯するために十分な洗剤組成物が前記袋に含有される。これによって消費者は、袋に含有されている洗濯物に加えて、本発明に基づいた洗濯物袋を含有する洗濯機に汚れた洗濯物をさらに加えることができ、前記洗濯機にさらに洗剤を加える必要はない。
【００６６】
洗剤組成物は好ましくは、臭気抑制剤、界面活性剤、キレート化剤、ビルダー剤、酵素、漂白剤、生地柔軟剤、布地コンディショナー、起泡性システム、光沢剤、光漂白剤、泡抑制剤、香料及びそれらの組み合わせから成る群から選択されるメンバーを含む。
【００６７】
好ましくは袋の洗剤組成物は、少なくとも５％の界面活性剤及び少なくとも５％のビルダー剤を含む。好ましくは、洗剤組成物は（重量で）少なくとも０．１％、又は好ましくは少なくとも０．２％、又は好ましくは０．４％、又はさらに好ましくは少なくとも０．８％の香料を含む。前記洗剤組成物が臭気抑制剤を含むのならば、そのときは、前記洗剤組成物は０．１重量％からの又は０．２重量％からの香料のような低い量の香料を含むことが好ましくもある。もう１つの方法としては、前記洗剤組成物が臭気抑制剤を含まないならば、そのときは、前記洗剤組成物は０．４重量％から又は０．８重量％からの香料のような高い量の香料を含むことが好ましくもある。用語「臭気抑制剤」は下文においてさらに詳細に記載される。
【００６８】
袋における組成物の好ましい洗剤成分は下文でさらに詳細に記載される。
【００６９】
臭気抑制剤
汚れた洗濯物を前記袋に加える場合、臭気が発生する可能性があり、それは消費者に嫌な印象を与え、最適なレベルまで前記袋を満たすのに必要な間、消費者が前記袋に汚れた洗濯物を残すのを妨げる又は思いとどまらせる。かかる状況では、消費者は前記袋が満たさることを待つことなく、その代わりに洗浄工程の間、半分満たされた洗濯物袋を使用する。これによって、洗濯物袋の不十分な消費が生じる。
【００７０】
本発明者らは、臭気抑制剤を含む洗剤組成物を含有する袋を提供することにより、この不十分な消費を克服できることを見い出した。
【００７１】
従って、本明細書に用いる洗剤組成物は好ましくは、臭気抑制剤を含む。本明細書の洗剤組成物は好ましくは１％からの、又は好ましくは２％からの、又は５％からの、又は７％からの、又は１０％からの、又は１２％からの、又は１５％からの、又は１７％からの、又は２０％からの臭気抑制剤、及び好ましくは５０％までの、又は４０％までの、又は３０％までの臭気抑制剤を含む。
【００７２】
前記臭気抑制剤は好ましくは、シクロデキストリン、超幅広孔ゼオライト又はその誘導体、臭気抑制金属塩、抗菌剤、活性炭、過マンガン酸カリウム、及びそれらの組み合わせから成る群から選択されるメンバーである。
【００７３】
好ましくは、前記シクロデキストリンは６〜１２のグルコース単位を含む非置換型シクロデキストリンを含んでもよい。用語「非置換型」は、本明細書の前記袋に入れられた汚れた洗濯物からの種々の臭気分子を前記シクロデキストリンに吸収させるために、前記シクロデキストリンの中の空洞が実質的に空である、好ましくは完全に空であることを意味する。
【００７４】
好ましくは、前記シクロデキストリンは、１２マイクロメートル未満の、好ましくは１０マイクロメートル未満の、好ましくは５マイクロメートル未満の初期粒度を有する。この初期粒度は、シクロデキストリンの初期粒子の最大寸法を言う。この小さな初期粒度を有するシクロデキストリンはシクロデキストリンの重量当りさらに大きな表面積を有し、従って臭気を吸収するさらに大きな吸収力を有する。
【００７５】
好ましいシクロデキストリンは、α−シクロデキストリン及びその誘導体、γ−シクロデキストリン及びその誘導体、β−シクロデキストリン誘導体、及びそれらの組み合わせである。本明細書に用いるのに好適なシクロデキストリン誘導体には、ヒドロキシプロピルα−シクロデキストリン、メチル化α−シクロデキストリン、メチル化β−シクロデキストリン、ヒドロキシエチルβ−シクロデキストリン及びヒドロキシプロピルβ−シクロデキストリンが挙げられる。本明細書に用いるのに好適なシクロデキストリン及びその誘導体は、米国特許第３，４２６，０１１号、米国特許第３，４５３，２５７号、米国特許第３，４５３，２５８号、米国特許第３，４５３，２５９号、米国特許第３，４５３，２６０号、米国特許第３，４５９，７３１号、米国特許第３，５５３，１９１号、米国特許第３，５６５，８８７号、米国特許第４，５３５，１５２号、米国特許第４，６１６，００８号、米国特許第４，６７８，５９８号、米国特許第４，６３８，０５８号及び米国特許第４，７４６，７３４号に記載されている。本明細書に用いるのに好ましいシクロデキストリンは米国特許第５，４２９，６２８号にさらに詳細に記載されている。
【００７６】
前記臭気抑制剤は超幅広孔ゼオライト又はその誘導体を含んでもよい。洗剤組成物の既知のビルダー剤であるゼオライトＡ、Ｘ及びＹは、本発明の目的での用語「超幅広孔ゼオライト」の意味の範囲内ではない。とはいえ、本明細書の袋の洗剤組成物がゼオライトＡ、Ｘ、Ｙ又はそれらの組み合わせを含むことが好ましくもある。ゼオライトＡ、Ｘ、Ｙ又はそれらの組み合わせが袋の洗剤組成物に存在するのであれば、そのときは、前記洗剤組成物が臭気抑制剤、例えば超幅広孔ゼオライト又はその誘導体をさらに含むことが好ましくもある。
【００７７】
超幅広孔ゼオライト又はその誘導体は好ましくは、少なくとも１３オングストローム、さらに好ましくは少なくとも２０オングストローム、一層さらに好ましくは少なくとも３０オングストローム、はさらに５０オングストローム、最も好ましくは３０〜１００オングストロームの孔直径を有する。孔直径は、いかなる好適な方法、例えば、透過型電子顕微鏡（ＴＥＭ）、Ｘ線回折又はアルゴン物理吸収によって決定することができる。ＴＥＭが好ましい技法である。これらの超幅広孔ゼオライト又はその誘導体は好ましくは、少なくとも３００ｍ２ｇ−１、さらに好ましくは少なくとも４００ｍ２ｇ−１、最も好ましくは少なくとも５００ｍ２ｇ−１の表面積を有する。
【００７８】
好適な超幅広孔ゼオライト誘導体は、超幅広孔ゼオライトアルミノ−誘導体である。好ましい超幅広孔ゼオライトアルミノ−誘導体は、アルミノホスフェート類、シリコアルミノホスフェート類、メタロアルミノホスフェート類及びメタロシリコアルミノホスフェート類であり、その際、「メタロ」は、Ｍｇ、Ｔｉ、Ｍｎ、Ｃｏ、Ｆｅ、Ｇａ又はＺｎのような追加の金属元素を表す。
【００７９】
そのほかの好適な超幅広孔ゼオライト誘導体は、超幅広孔ゼオライトホスフェート−誘導体である。好ましい超幅広孔ゼオライトホスフェート−誘導体は、ＡＩＰＯ４−５、ＡＩＰＯ４−８、ＳＡＰＯ−５、ＳＡＰＯ−３７、ＶＰＩ−５、クロベライト（Ｃｌｏｖｅｒｉｔｅ）（１８員環ガロホスフェート）、及びＪＤＦ−２０である。
【００８０】
その他の好ましい超幅広孔ゼオライト誘導体は、液状結晶を鋳型に合成される、米国特許第５，１０２，６４３号、米国特許第５，２５０，２８２号、米国特許第５，２６４，２０３号、米国特許第５，１４５，８１６号、米国特許第５，０９８，６８４号、米国特許第５，３７８，４４０号、米国特許第５，０９８，６８４号、米国特許第５，１０８，７２５号及び米国特許第５，０５７，２９６号に記載されている化合物のＭ４１Ｓの範囲である。これらＭ４１Ｓの範囲の化合物は、焼成の後、相対強度１００と共に１８Åより大きいｄ−空間で少なくとも１つのピークを有するＸ線回折パターン及び５０トール２５℃にて無水結晶１００グラム当り１５グラムのベンゼンより大きいベンゼン吸収能を示す。
【００８１】
極めて好ましいＭ４１Ｓ化合物は、無機、多孔質、結晶性物質であり、焼成後、少なくとも１３オングストロームの孔直径を有する均一サイズの孔の六角形配置を有し、１８オングストロームより大きいｄ１００値で示すことができる六角形の電子回折を呈する。かかる物質は、表示、ＭＣＭ−４１を与えられており、米国特許第５，３７８，４４０号にさらに詳細に記載されている。
【００８２】
前記臭気抑制剤は臭気抑制金属塩を含んでもよい。前記臭気抑制金属塩は好ましくは、亜鉛塩、銅塩又はそれらの混合物を含む。前記臭気抑制金属塩は好ましくは、塩化亜鉛、グルコン酸亜鉛、乳酸亜鉛、マレイン酸亜鉛、サリチル酸亜鉛、硫酸亜鉛、塩化銅、グルコン酸銅及びそれらの組み合わせから成る群から選択されるメンバーを含む。前記臭気抑制金属塩、特に亜鉛塩は抗菌剤であってもよい。
【００８３】
抗菌特性を有する臭気抑制金属塩である亜鉛塩は下文に記載される。
【００８４】
前記臭気抑制金属塩は抗菌剤を含んでもよい。前記抗菌剤は、抗細菌特性、抗カビ特性又はそれらの組み合わせのような抗菌特性を有する。
【００８５】
好ましい抗菌剤は、亜鉛フェノールスルホネート、酸化亜鉛、トリクロサン、亜鉛リシノレエート、亜鉛ウンデシレネート及びこれらの組み合わせから成る群から選択される。本明細書に用いるのに好ましい抗菌化合物は、デュポンにより供給されるゼラック（Ｚｅｌｅｃ）ＡＭとして、及びチバガイギーにより供給されるイルガサン（Ｉｒｇａｓａｎ）ＤＰ−３００としての商品名のもとで知られている。本明細書に用いるのに好適なその他の抗菌剤は、「化粧品卓上参照」（Ｃｏｓｍｅｔｉｃ Ｂｅｎｃｈ Ｒｅｆｅｒｅｎｃｅ）の１９９４年版の１０ページにさらに詳細に記載されている。
【００８６】
袋の洗剤組成物は好ましくは少なくとも２つの部分に分離して前記袋に含有され、その際、前記洗剤組成物の第１の部分は（前記部分の重量で）少なくとも６０％、さらに好ましくは少なくとも７０％、さらに好ましくは少なくとも８０％、さらに好ましくは少なくとも９０％、さらに好ましくは少なくとも９５％、さらに好ましくは少なくとも９９％の臭気抑制剤を含む。前記洗剤組成物の前記第１の部分は（重量で）前記洗剤組成物の総臭気抑制剤の少なくとも８０％、さらに好ましくは少なくとも８５％、さらに好ましくは少なくとも９０％、さらに好ましくは少なくとも９５％、最も好ましくは少なくとも９９％を含むことも好ましい。
【００８７】
例えば、臭気抑制剤の少なくとも６０％含む（前記部分の重量で）洗剤組成物の第１の部分が、例えば、前記第１の洗剤部分を袋のアルカリ可溶性物質の上に噴霧することによって、又は前記第１の洗剤部分を袋の前記アルカリ可溶性物質に組み入れることによって、袋の前記アルカリ可溶性物質に含まれてもよい。好ましくは洗剤組成物の残りである洗剤組成物の第２の部分は、例えば、アルカリ可溶性物質の小袋に含有されることによって、洗剤組成物の第１の部分から離して前記袋に別々に含有されてもよい。
【００８８】
これは、本明細書の袋に入れた汚れた洗濯物から発する匂いを主として抑制する代わりに、洗剤組成物の臭気抑制剤が洗剤組成物の残りから発する匂いを主として抑制するのを妨げるためである。。
【００８９】
アルコキシル化化合物
アルカリ可溶性物質から成り、洗剤組成物を含有する洗濯物袋については前記洗剤組成物の粘土染み除去性能が低下する傾向がある。このことは、前記アルカリ可溶性物質がポリビニルアルコールポリマー又はポリビニルアルコールのコポリマーを含む場合、特に真実である。
【００９０】
本発明者らは、前記袋に含有される洗剤組成物の中に、少なくとも２５、好ましくは少なくとも５０の平均アルコキシル化度を有するアルコキシル化化合物を包含することによってこの問題を解決した。前記洗剤組成物が前記アルコキシル化化合物を含む場合、前記洗剤組成物の粘土染みの除去性能は改善される。
【００９１】
従って、前記洗剤組成物は好ましくはアルコキシル化化合物を含む。前記アルコキシル化化合物は、下文で記載するように界面活性剤のように洗剤活性物質化合物であってもよい。
【００９２】
組成物はアルコキシル化化合物を含み、前記アルコキシル化化合物は好ましくは少なくとも２５、又は好ましくは少なくとも５０、又は好ましくは少なくとも６０、又は好ましくは少なくとも７０、又は好ましくは少なくとも８０、又は好ましくは少なくとも９０、又は好ましくは少なくとも１００の平均アルコキシル化度を有する。好ましくはアルコキシ基は１つの長鎖中に存在する。
【００９３】
好ましくは、アルコキシル化化合物は、６〜２４、好ましくは８〜２２、さらに好ましくは１０〜２０、さらに好ましくは１２〜１８の炭素原子を含む炭化水素基、好ましくは６〜２４、好ましくは８〜２２、さらに好ましくは１０〜２０、さらに好ましくは１２〜１８の炭素原子の平均鎖長の炭化水素鎖を含む。炭化水素鎖は、線状であっても、分枝状であってもよく、いかなる配置においても６〜２４の炭素原子によって達成可能なあらゆる誘導体形態を包含する。これらの炭素原子はアルコキシ基の炭素原子を包含しない。
【００９４】
アルコキシル化化合物は好ましくは非イオン化合物である。好ましくは、アルコキシル化化合物は、アルコール、エステル、ケトン、アルデヒド、アミド又はそれらの組み合わせである。さらに好ましくは、アルコキシル化化合物はアルコールである。好ましくは、アルコキシル化化合物は、エトキシ化化合物である。
【００９５】
さらに好ましくはアルコキシル化化合物はエトキシ化アルコールである。最も好ましくは、アルコキシル化化合物は、少なくとも２５、又は好ましくは少なくとも５０、又は好ましくは少なくとも６０、又は好ましくは少なくとも７０、又は好ましくは少なくとも８０、又は好ましくは少なくとも９０、又は好ましくは少なくとも１００モルのエチレンオキシドと共に縮合されたタローアルコールエチレンオキシド縮合物である。
【００９６】
好ましくは、本明細書に用いる組成物は（前記組成物の重量で）、０．００１％〜２５％、さらに好ましくは０．１％〜１０％、さらに好ましくは０．５％〜５％、さらに好ましくは１％〜３％の前記アルコキシル化化合物を含む。
【００９７】
起泡性システム
本明細書に用いるための洗剤組成物は起泡性システムを含んでもよい。前記洗剤組成物における起泡性システムの存在は通常、洗浄工程の間に洗濯液に前記洗剤組成物が放出される割合を高める。本明細書に用いるのに好ましい起泡性システムは、水の存在下、アルカリ供給源と反応して気体を発生することが可能な酸供給源を含む。前記アルカリ供給源又はその一部、及び前記酸供給源又はその一部は、同一粒子中にて前記洗剤組成物に存在してもよい。
【００９８】
酸供給源はいずれの有機若しくは無機酸、あるいはそれらの誘導体、あるいはそれらの混合物であってよい。好ましくは酸供給源成分は有機酸を含む。酸供給源は好ましくは実質的に無水、又は非吸湿性であり、酸供給源は好ましくは水溶性である。酸供給源が過乾燥されていることが好ましくもある。好適な酸供給源としては、クエン酸、リンゴ酸、マレイン酸、フマル酸、アスパラギン酸、グルタール酸、酒石酸、コハク酸あるいはアジピン酸、リン酸一ナトリウム、ホウ酸、あるいはそれらの誘導体が挙げられる。クエン酸、マレイン酸あるいはリンゴ酸がとりわけ好ましい。
【００９９】
起泡性システムは好ましくはアルカリ供給源を含む。前記酸供給源と反応して気体を生成する能力を有するいかなるアルカリ供給源も本明細書において使用するのに好適である。前記気体は、窒素、酸素及び二酸化炭素の気体を含めて、公知の気体のいかなるものであってもよい。アルカリ供給源は好ましくは実質的に無水、又は非吸湿性である。アルカリ供給源が過乾燥されていることが好ましくもある。
【０１００】
好ましくは気体は二酸化炭素で、それゆえアルカリ供給源は好ましくは炭酸塩供給源であり、当業界で既知であるいずれかの炭酸塩供給源であることができる。
【０１０１】
好ましい実施例において、炭酸塩供給源は炭酸塩である。好ましい炭酸塩の例はアルカリ土類及びナトリウムあるいはカリウム炭酸塩、重炭酸塩及びセスキ−炭酸塩を包含するアルカリ金属炭酸塩であり、独特許出願第２，３２１，００１号（１９７３年１１月１５日公開）に開示されているような超微細炭酸カルシウムを伴ういずれかのそれらの混合物である。アルカリ金属過炭酸塩は炭酸塩種の好適な供給源でもあり、他の１つ以上の炭酸塩供給源と一緒に存在してもよい。
【０１０２】
界面活性剤
本明細書に用いるための洗剤組成物は好ましくは界面活性剤を含む。前記界面活性剤は、非イオン系界面活性剤、陰イオン系界面活性剤、陽イオン系界面活性剤、双イオン性界面活性剤、両性界面活性剤、及びそれらの組み合わせから成る群から選択されるメンバーを含んでもよい。
【０１０３】
陰イオン系界面活性剤には、アニオン系サルフェート、スルホネート、カルボキシレート及びサルコシネート界面活性剤の塩（例えば、ナトリウム、カリウム、アンモニウム、並びにモノ−、ジ−及びトリ−エタノールアミン塩のような置換アンモニウム塩を包含する）、好ましくは直鎖又は分岐鎖アルキルベンゼンスルホネート、アルキルサルフェート及びアルキルエトキシルサルフェート、イセチオネート、Ｎ−アシルタウレート、メチルタウライドの脂肪酸アミド、アルキルサクシネート及びスルホサクシネート、スルホサクシネートのモノエステル（特に飽和及び不飽和Ｃ１２〜Ｃ１８モノエステル）、スルホサクシネートのジエステル（特に飽和及び不飽和Ｃ６〜Ｃ１４ジエステル）、Ｎ−アシルサルコシネートが挙げられる。
【０１０４】
著しく好ましいのは、陰イオン系界面活性剤が存在する際、少なくとも１つのアルキルサルフェート界面活性剤が存在し、好ましくは分岐鎖アルキルサルフェート界面活性剤が、好ましくは成分又は組成物の重量に対して１％から２０％まで又はさらには１５％までの量である。
【０１０５】
また、好ましい非イオン系界面活性剤はアルキルフェノール類の非イオン縮合物、非イオンエトキシ化アルコール類、非イオンエトキシ化／プロポキシル化脂肪族アルコール類、プロピレングリコールと非イオンエトキシレート／プロポキシレートの縮合物、及びプロピレンオキシド／エチレンジアミン付加物と非イオン性エトキシレートとの縮合生成物の部類から選択される。
【０１０６】
例えば、四級アンモニウム界面活性剤、コリンエステル界面活性剤、及び柔軟化剤のような陽イオン系界面活性剤及び柔軟化剤も本明細書に用いるための洗剤組成物に包含されてもよい。
【０１０７】
好ましくは、本明細書に用いるための洗剤組成物は、（重量で）１％〜５０％の界面活性剤、又は好ましくは５％からの、又は７％からの、又は１０％からの、又は１５％からの界面活性剤、及び４５％までの、又は４０％までの、又は３５％までの、又は３０％までの界面活性剤を含む。洗剤組成物は好ましくは（重量で）１％からの、又は好ましくは２％からの、又は３％からの非イオン系界面活性剤、及び好ましくは１５％までの、又は１０％までの、又は７％までの、又は５％までの、又は４％までの、又は３％までの非イオン系界面活性剤を含む。もう１つの方法として、洗剤組成物は好ましくは（重量で）７％からの、又は好ましくは１０％からの、又は好ましくは１５％からの、及び好ましくは４０％までの、又は好ましくは３０％までの、又は好ましくは２５％までの、又は好ましくは２０％までの非イオン系界面活性剤を含む。洗剤組成物は好ましくは（重量で）１％からの、又は好ましくは２％からの、又は３％からの陽イオン系界面活性剤、及び好ましくは１５％までの、又は１０％までの、又は７％までの、又は５％までの、又は４％までの、又は３％までの陽イオン系界面活性剤を含む。洗剤組成物は好ましくは（重量で）１％からの、又は好ましくは２％からの、又は３％からの、又は５％からの、又は７％からの、又は１０％からの陰イオン系界面活性剤、及び好ましくは３０％までの、又は２５％までの、又は２０％までの、又は１５％までの陰イオン系界面活性剤を含む。
【０１０８】
ビルダー剤
本明細書に用いるのに好適な洗剤組成物はビルダー剤を含んでもよい。前記ビルダー剤は水溶性であってもよい。
【０１０９】
典型的な水溶性ビルダー剤としては、水溶性モノマーのポリカルボキシレート、又はそれらの酸の形態、２個以下の炭素原子、ボレート酸、ホスフェート、及び前述の任意の混合物によってお互いに分離される少なくとも２つのカルボキシル基を含むホモ又はコポリマーポリカルボン酸及びこれらの塩が挙げられる。
【０１１０】
コスト及び性能という理由から、モノマーのポリカルボキシレート類が一般に好まれるが、カルボキシレート又はポリカルボキシレートのビルダー剤は、種類においてモノマーであってもオリゴマーであってもよい。カルボキシ基を含有する好適なカルボキシレートには、乳酸の水溶性塩、グリコール酸の水溶性塩及びそのエーテル誘導体が挙げられる。
【０１１１】
２つのカルボキシ基を含有するポリカルボキシレートには、コハク酸、マロン酸、（エチレンジオキシ）二酢酸、マレイン酸、ジグリコール酸、酒石酸、タルトロン酸及びフマル酸の水溶性塩、並びにエーテルカルボキシレート類及びスルフィニルカルボキシレート類が挙げられる。３つのカルボキシ基を含有するポリカルボキシレートには、特に、水溶性シトレート、アコニトレート及びシトラコネート、並びに英国特許第１，３７９，２４１号に記載されるカルボキシメチルオキシスクシネートのようなスクシネート誘導体、英国特許第１，３８９，７３２号に記載されるラクトキシスクシネート、及びオランダ特許第７，２０５，８７３号に記載されるアミノスクシネート、及び英国特許第１，３８７，４４７号に記載される２−オキサ−１，１，３−プロパントリカルボキシレートのようなオキシポリカルボキシレート物質が挙げられる。
【０１１２】
４つのカルボキシ基を含有するポリカルボキシレートには、英国特許ＧＢ１，２６１，８２９号で開示されたオキシジスクシネート、１，１，２，２−エタンテトラカルボキシレート類、１，１，３，３−プロパンテトラカルボキシレート類及び１，１，２，３−プロパンテトラカルボキシレート類が挙げられる。スルホ置換型基を含有するポリカルボキシレートには、英国特許第１，３９８，４２１号及び同第１，３９８，４２２号及び米国特許第３，９３６，４４８号で開示されたスルホスクシネート誘導体、並びに英国特許第１，４３９，０００号で開示されたスルホン化し熱分解されたシトレートが挙げられる。好ましいポリカルボキシレートは、１分子当たり３つまでのカルボキシル基を含有するヒドロキシカルボキシレート類、特にシトレート類である。
【０１１３】
前記水溶性ビルダー剤はホスフェ−トのアルカリ又はアルカリ土類金属塩であってもよい。水溶性ホスフェートビルダー剤の好適な例は、アルカリ金属トリポリホスフェート類、ナトリウム、カリウム及びアンモニウムピロホスフェート、ナトリウム及びカリウム及びアンモニウムピロホスフェート、ナトリウム及びカリウムオルトホスフェート、重合度が約６〜２１であるナトリウムポリメタ／ホスフェート、並びにフィチン酸の塩である。
【０１１４】
もう１つの方法として、前記ビルダー剤は水不溶性であってもよい。
【０１１５】
好ましい水不溶性ビルダーには、アルミノシリケート類、特にナトリウムアルミノシリケート類が挙げられる。好適なアルミノシリケートゼオライトは、単位セルの式Ｎａｚ［（ＡｌＯ２）ｚ（ＳｉＯ２）ｙ］．ｘＨ２Ｏを有し、式中、ｚ及びｙは少なくとも６であり；ｚとｙのモル比は１．０〜０．５であり、ｘは少なくとも５、好ましくは７．５〜２７６、さらに好ましくは１０〜２６４である。アルミノシリケート物質は水和型であり、好ましくは１０％〜２８％、より好ましくは１８％〜２２％の結合形態の水を含有する結晶である。アルミノケイ酸塩ゼオライトは、天然に存在する物質であることができるが、好ましくは合成的に誘導されたものである。合成の結晶性アルミノシリケート塩イオン交換物質は、ゼオライトＡ、ゼオライトＢ、ゼオライトＰ、ゼオライトＸ、ゼオライトＨＳの名称で及びそれらの混合物で入手可能である。ゼオライトＡは、次式を有する：
Ｎａ１２［ＡｌＯ２）１２（ＳｉＯ２）１２］．ｘＨ２Ｏ
式中、ｘは２０〜３０であり、特に２７である。ゼオライトＸは式Ｎａ８６［（ＡｌＯ２）８６（ＳｉＯ２）１０６］．２７６Ｈ２Ｏを有する。
【０１１６】
本明細書の使用に好ましい結晶性層状ケイ酸塩は次の一般式を有する：
ＮａＭＳｉｘＯ２ｘ＋１．ｙＨ２Ｏ
式中、Ｍはナトリウム又は水素であり、ｘは１．９〜４の数であり、ｙは０〜２０の数である。この種類の結晶性の層状ケイ酸ナトリウム類は欧州特許ＥＰ−Ａ−０１６４５１４号に開示されており、その製造法についてはドイツ国特許ＤＥ−Ａ−３４１７６４９号及び同ＤＥ−Ａ−３７４２０４３号に開示されている。
【０１１７】
本明細書において、上記一般式のｘは好ましくは２、３又は４の値を有し、好ましくは２である。最も好ましい物質はδ−Ｎａ２Ｓｉ２Ｏ５で、これはヘキストＡＧ（Ｈｏｅｃｈｓｔ  ＡＧ）からＮａＳＫＳ−６として入手できる。
【０１１８】
本明細書の洗剤組成物は好ましくは（重量で）１％からの、好ましくは５％からの、又は７％からの、又は１０％からの、又は１２％からの、又は１５％からのビルダー剤、及び好ましくは５０％までの、又は４０％までの、又は３０％までの、又は２５％までのビルダー剤を含む。
【０１１９】
漂白剤
好ましくは、本明細書に用いるための組成物は漂白剤を含む。好ましくは前記漂白剤は、過炭酸の塩であって、特にナトリウム塩であるような過水和漂白剤を含む。本明細書の袋のアルカリ可溶性物質がポリビニルアルコールのような遊離のヒドロキシ基を含む場合、好ましい漂白剤は過炭酸塩を含み、好ましくはいずれの過ホウ酸塩及びホウ酸塩をも含まないことが判っている。前記ホウ酸塩及び過ホウ酸塩はこれらのヒドロキシ含有物質と相互作用し、物質の溶解を低減することができ、機能低下をもたらす可能性がある。従って、本明細書に用いるための前記洗剤組成物は好ましくはボレートイオンを含まない。
【０１２０】
好ましい漂白剤は、アルキレン基は１〜６個の炭素原子を含み、特にテトラアセチルエチレンジアミン（ＴＡＥＤ）、３，５，５−トリメチルヘキサノイルオキシベンゼンスルホン酸ナトリウム（イソ−ＮＯＢＳ）、ノナノイルオキシベンゼンスルホン酸ナトリウム（ＮＯＢＳ）、アセトキシベンゼンスルホン酸ナトリウム（ＡＢＳ）及びペンタアセチルグルコースのような１、２及び６に炭素原子を含有するアルキレン基の化合物であるＮ−，Ｎ，Ｎ１Ｎ１テトラアセチル化アルキレンジアミンを包含するイミド型のアルキル過カルボン酸前駆体化合物のような有機過オキシ酸漂白前駆体又は活性化剤化合物を含んでもよいが、アミド置換アルキル過オキシ酸前駆体化合物も含んでもよい。
【０１２１】
酵素
本明細書に用いるのに極めて好ましい成分は１又はそれ以上の酵素である。好ましい酵素としては、洗剤組成物に従来から組み入れられる市販のリパーゼ、クチナーゼ、アミラーゼ、中性及びアルカリ性プロテアーゼ、セルラーゼ、エンドラーゼ、エステラーゼ、ぺクチナーゼ、ラクターゼ及びぺルオキシダーゼが挙げられる。好適な酵素は米国特許ＵＳ３，５１９，５７０号及び３，５３３，１３９号に記載されている。
【０１２２】
市販の好ましいプロテアーゼ酵素には、ノヴォインダストリーズＡ／Ｓ（Ｎｏｖｏ Ｉｎｄｕｓｔｒｉｅｓ Ａ／Ｓ）（デンマーク）より商品名をアルカラーゼ（Ａｌｃａｌａｓｅ）、サビナーゼ（Ｓａｖｉｎａｓｅ）、プライマーゼ（Ｐｒｉｍａｓｅ）、デュラツィム（Ｄｕｒａｚｙｍ）、及びエスペラーゼ（Ｅｓｐｅｒａｓｅ）として販売されるもの、ギストブロカデス（Ｇｉｓｔ−Ｂｒｏｃａｄｅｓ）より商品名をマキサターゼ（Ｍａｘａｔａｓｅ）、マキサカル（Ｍａｘａｃａｌ）、及びマキサペム（Ｍａｘａｐｅｍ）として販売されるもの、ジェネンカ・インターナショナル（Ｇｅｎｅｎｃｏｒ Ｉｎｔｅｒｎａｔｉｏｎａｌ）より販売されるもの、及びソルベー・エンザイム（Ｓｏｌｖａｙ Ｅｎｚｙｍｅｓ）より商品名をオプティクリーン（Ｏｐｔｉｃｌｅａｎ）及びオプティマーゼ（Ｏｐｔｉｍａｓｅ）として販売されるものが含まれる。好ましいアミラーゼ類には、例えばバチルス・リケニフォルミス（Ｂ．ｌｉｃｈｅｎｉｆｏｒｍｉｓ）の特殊な株から得られるα−アミラーゼが挙げられ、英国特許ＧＢ−１，２６９，８３９号（ノヴォ（Ｎｏｖｏ））にその詳細が記載されている。市販の好ましいアミラーゼとしては、例えばギストブロカデス（Ｇｉｓｔ−Ｂｒｏｃａｄｅｓ）より商品名ラピダーゼとして販売されるもの、及びノヴォ・インダストリーズ（Ｎｏｖｏ Ｉｎｄｕｓｔｒｉｅｓ）Ａ／Ｓより商品名ターマミル（Ｔｅｒｍａｍｙｌ）、ドゥラミル（Ｄｕｒａｍｙｌ）、及びＢＡＮとして販売されるものが挙げられる。きわめて好ましいアミラーゼ酵素はおそらく、ＰＣＴ／ＵＳ９７０３６３５、及びＷＯ９５／２６３９７及びＷＯ９６／２３８７３に記載されている酵素である。リパーゼは、例えばＨｕｍｉｃｏｌａ株、Ｔｈｅｒｍｏｍｙｃｅｓ株、又はＰｓｅｕｄｏｍｏｎａｓ  ｐｓｅｕｄｏａｌｃａｌｉｇｅｎｅｓ或いはＰｓｅｕｄｏｍｏｎａｓ  ｆｌｕｐｒｅｓｃｅｎを包含するＰｓｅｕｄｏｍｏｎａｓ株のリパーゼ生産株から得られる真菌又は細菌性起源であってよい。化学的又は遺伝子的に修飾されたこれらの株の変異体由来のリパーゼも本明細書において有用である。好ましいリパーゼはＰｓｅｕｄｏｍｏｎａｓ  ｐｓｅｕｄｏａｌｃａｌｉｇｅｎｅｓから誘導されたもので、欧州登録特許ＥＰ−Ｂ−０，２１８，２７２号に記載されている。
【０１２３】
本明細書において好適な他のリパーゼは欧州特許出願ＥＰ−Ａ−０２５８０６８に記載されているように、Ｈｕｍｉｃｏｌａ  ｌａｎｕｇｉｎｏｓａからの遺伝子のクローニング及びホストとしてのアスペルギルス（アスペルギルス）オリザ（ｏｒｙｚａ）における遺伝子の発現によって得られ、これはノヴォインダストリー（Ｎｏｖｏ Ｉｎｄｕｓｔｒｉｅｓ）Ａ／Ｓ、デンマーク、バグスバードより商品名リポラーゼとして市販されている。このリパーゼはまた、米国公開特許第４，８１０，４１４号（ヒュージ−ジェンセン（Ｈｕｇｅ−Ｊｅｎｓｅｎ）ら、１９８９年、３月７日発行）に記載されている。
【０１２４】
使用方法
汚れた洗濯物を本明細書の袋に入れ、好ましくは前記袋を閉じる。次いで、好ましくは前記袋を自動洗濯機のドラムの中に置く。好ましくは、前記自動洗濯機の適当な分配手段に別の布地柔軟化組成物が添加されるが、本明細書の袋の洗剤組成物は布地柔軟化剤を含んでもよい。
【０１２５】
前記自動洗濯機は通常１回の洗濯サイクルを受け、その間に、前記洗濯物袋のアルカリ可溶性物質、さらに好ましい全体としての本明細書の袋は、洗浄工程の後、洗濯物に残留物が残らないように、及び洗濯されるべき汚れた洗濯物が洗濯サイクルの間に洗濯液の中に放出されるように、前記洗濯サイクルの間に溶解する。
【０１２６】
洗濯サイクルが完了した後、洗浄した洗濯物を自動洗濯機から取り出し、例えば、タンブル乾燥機又はものほしを用いることによって、当該技術分野において既知の洗濯物乾燥手段によって乾燥させる。
【０１２７】
もう１つの方法として、手洗い方法、又はその他の当該技術分野において既知の洗濯洗浄方法に本明細書の袋を用いることができる。好ましくは、本明細書の袋は自動洗濯機の方法に用いる。
【０１２８】
（実施例）
【表１】
2004518470.tif 000002
実施例１
クリスクラフト（Ｃｈｒｉｓ Ｃｒａｆｔ）から供給されるＬＸＰフィルムであるＰＶＡ材の第１の片を、８５ｃｍ×５８ｃｍの寸法の四角形に切断する。キャストフィルムテクノロジー（Ｃａｓｔ Ｆｉｌｍ Ｔｅｃｈｎｏｌｏｇｙ）により提供される不織布材Ｋ２  ４０ｇｓｍ材であるＰＶＡ材の第２の片も８５ｃｍ×５８ｃｍの寸法の四角形に切断する。キャストフィルムテクノロジー（Ｃａｓｔ Ｆｉｌｍ Ｔｅｃｈｎｏｌｏｇｙ）により提供される不織布材Ｋ２  ４０ｇｓｍ材であるＰＶＡ材の第３の片を８５ｃｍ×３ｃｍの寸法の四角形に切断する。ＰＶＡ材の第１の片をそれらが正確に揃うようにＰＶＡ材の第２の片の上に平行に置く。８５ｃｍ側の一方の端を外側に折り曲げ、ヘルムマーチン熱シーラー（Ｈｕｌｍｅ Ｍａｒｔｉｎ Ｈｅａｔ Ｓｅａｌｅｒ）を用いてその長さに沿って熱シールし、管状の穴を残し、その中にＰＶＡ材の第３の片を通す。管状の穴は、ＰＶＡ材の第３の片がちょうど貫けるサイズである。ＰＶＡ材の第１及び第２の片は５５ｃｍ側の真ん中で折り畳み、５５ｃｍ側に沿って熱シールし、ＰＶＡの第３の片を管状の穴にシールする。管状の穴が端を作っている側の反対側である袋の底をヘルムマーチン熱シーラー（Ｈｕｌｍｅ Ｍａｒｔｉｎ Ｈｅａｔ Ｓｅａｌｅｒ）を用いて熱シールする。袋の上側で相対して２つの小さな穴を開け、その場でＰＶＡ材の第３の片の末端が管状構造から露出するようにする。ＰＶＡ材の第３の片が絞り紐として作用することができ、絞り紐の末端を引くことによって、形成されている袋の開口部を閉じる。実施例２においてさらに詳細に記載される配合である、１００ｇの洗剤組成物をそれぞれ袋の１つの角に置く。その場で洗剤組成物周囲の上部及び側面の両方にシールを施すことによって、前記洗剤組成物をシールして、本発明に基いた袋を得る。
【０１２９】
実施例２
実施例１及び３にそれぞれ記載される方法によって得られた袋に次の洗剤組成物を加えて本発明に基づいた袋を得る：
【表２】
2004518470.tif 000003
実施例３
クリスクラフト（Ｃｈｒｉｓ Ｃｒａｆｔ）により供給されるＬＸＰ４０８７フィルムであるＰＶＡ材２片を６０ｃｍ×３０ｃｍの寸法の四角形に切断する。ＰＶＡ材の一方の片をＰＶＡ材の他方の片の上に正確に平行に置く。長い６０ｃｍの縁は両方、及び３０ｃｍの縁は一方に沿って、マーチンヘルム熱シーラー（Ｍａｒｔｉｎ Ｈｕｌｍｅ Ｈｅａｔ Ｓｅａｌｅｒ）を用いてＰＶＡ材の２つの片を熱シールする。クリスクラフト（Ｃｈｒｉｓ Ｃｒａｆｔ）から供給されるＬＸＰ４０８７フィルムであるＰＶＡ材の第３の片を、７０ｃｍ×３ｃｍの寸法の四角形に切断する。袋のシールしていない３０ｃｍ側の開口部にＰＶＡ材の第３の片を熱シールするＰＶＡ材のこの第３の片は、結ぶものとして作用し、袋を閉じることができる。実施例２でさらに詳細に記載されている配合である、１００ｇの固形洗剤組成物を袋の内部に置いて、本発明に基づいた袋を得る。
【０１３０】
実施例４
キャストフィルムテクノロジー（Ｃａｓｔ Ｆｉｌｍ Ｔｅｃｈｎｏｌｏｇｙ）により供給される不織ポリビニルアルコールＫ２  ４０ｇｓｍ材であるＰＶＡ材の第１の片を５２ｃｍ×５０ｃｍの寸法の四角形に切断する。キャストフィルムテクノロジー（Ｃａｓｔ Ｆｉｌｍ Ｔｅｃｈｎｏｌｏｇｙ）により供給される不織ポリビニルアルコールＫ２  ４０ｇｓｍ材であるＰＶＡ材の第２の片を５０ｃｍ×３ｃｍの寸法の四角形に切断する。ＰＶＡ材の第１の片の５０ｃｍの一方の縁に沿ってＰＶＡ材の第２の片を置く。ＰＶＡ材の第１の片の前記５０ｃｍの縁をＰＶＡ材の第２の片の上に折り曲げ、ＰＶＡ材の第２の片を含有する折り畳みを形成する。ＰＶＡ材の第２の片を含有する管状構造が形成されるように、折り畳みの長さに沿って、ＰＶＡ材の第１の片をそれ自体に熱シールする。ＰＶＡの第１の片を５２ｃｍ側に沿って半分で折り曲げ、マーチンヘルム熱シーラー（Ｍａｒｔｉｎ Ｈｕｌｍｅ Ｈｅａｔ Ｓｅａｌｅｒ）を用いて開いている５２ｃｍの縁をシールする。管状構造を含有する縁と反対側の縁をマーチンヘルム熱シーラー（Ｍａｒｔｉｎ Ｈｕｌｍｅ Ｈｅａｔ Ｓｅａｌｅｒ）を用いてシールし、袋を形成する。ＰＶＡの第２の片の末端が管状構造から露出されるように、袋の相対する側で２つの穴を開ける。ＰＶＡ材の第２の片が絞り紐として作用することができ、絞り紐の末端を引くことによって袋を閉じることができる。実施例２においてさらに詳細に記載される配合である、５０ｇの固形洗剤組成物をそれぞれ袋の１つの角に置く。その場で洗剤組成物の周囲の上及び側面の両方にシールを作ることによって前記洗剤組成物をシールして本発明に基づいた袋を得る。
【０１３１】
実施例５
キャストフィルムテクノロジー（Ｃａｓｔ Ｆｉｌｍ Ｔｅｃｈｎｏｌｏｇｙ）により供給されるＫ２  ４０ｇｓｍであるＰＶＡ材から成る小袋に、実施例２でさらに詳細に記載されている配合である、７５ｇの固形洗剤をシールする。キャストフィルムテクノロジー（Ｃａｓｔ Ｆｉｌｍ Ｔｅｃｈｎｏｌｏｇｙ）により供給されるＫ２  ４０ｇｓｍであるＰＶＡ材の２つの片を２０ｃｍ×１６ｃｍの寸法の四角形に切断することにより小袋を作製した。ＰＶＡ材の一方の片をＰＶＡ材の他方の片の上に平行に置き、マーチンヘルム熱シーラー（Ｍａｒｔｉｎ Ｈｕｌｍｅ Ｈｅａｔ Ｓｅａｌｅｒ）を用いて３つの側でＰＶＡ材の片を一緒にシールして小袋を成形した。７５ｇの洗剤組成物を小袋の中に入れ、次いでシールしていない側を熱シールすることによって小袋をシールした。実施例１、３及び４に記載される方法に従って製造された袋の底に小袋をシールする。
【０１３２】
実施例６
ＰＶＡ材（クリスクラフト４０８７フィルム）のシートを、丸い側面と底及び直径４５ｍｍ及び深さ２８ｍｍを有する円筒形の型の上に置く。型の縁の周りに厚さ１ｍｍのゴムの層が存在する。型は真空を適用するために型材中に幾つかの孔を有する。
【０１３３】
ＰＶＡ材が型の内側表面に接触するように、真空を適用してフィルムを型の中に引き込む。型が９５〜１００％の間で満たされるように２０ｇの固形洗剤組成物を型に注ぐ。
【０１３４】
次に、ＰＶＡ材（クリスクラフト４０８７フィルム）の別のシートを、固形組成物の入った型の上に置き、内径４６ｍｍの平板金属の環状片を適用し、型の縁にてゴムの環に穏かに圧をかけ、その金属を加熱することによって第１のフィルム層にシールし、ＰＶＡ材の２つの片を一緒に熱シールする。金属環を典型的には、１４０〜１４６℃まで加熱し、５秒間までの時間を適用する。それぞれ実施例１、３、４で製造したような袋に１又はそれ以上の小袋を加える。
【０１３５】
実施例７
それぞれ、実施例１、３、及び４に記載される方法によって袋を作製した。実施例２においてさらに詳細に記載される配合である、７５ｇの固形洗剤組成物を袋の１つの角に置く。その場で洗剤組成物の周囲の上及び側面の両方にシールを作ることによって前記洗剤組成物をシールして本発明に基づいた袋を得る。
【国際公開パンフレット】
2004518470.tif 000004
2004518470.tif 000005
2004518470.tif 000006
2004518470.tif 000007
2004518470.tif 000008
2004518470.tif 000009
2004518470.tif 000010
2004518470.tif 000011
2004518470.tif 000012
2004518470.tif 000013
2004518470.tif 000014
2004518470.tif 000015
2004518470.tif 000016
2004518470.tif 000017
2004518470.tif 000018
2004518470.tif 000019
2004518470.tif 000020
2004518470.tif 000021
2004518470.tif 000022
2004518470.tif 000023
2004518470.tif 000024
2004518470.tif 000025
2004518470.tif 000026
2004518470.tif 000027
2004518470.tif 000028
2004518470.tif 000029
2004518470.tif 000030
2004518470.tif 000031
2004518470.tif 000032
2004518470.tif 000033
2004518470.tif 000034
2004518470.tif 000035
2004518470.tif 000036
2004518470.tif 000037
2004518470.tif 000038
2004518470.tif 000039
2004518470.tif 000040
2004518470.tif 000041
2004518470.tif 000042
【国際調査報告】
2004518470.tif 000043
2004518470.tif 000044
2004518470.tif 000045